【手続補正書】
【提出日】平成18年8月11日(2006.8.11)
【手続補正１】
【補正対象書類名】特許請求の範囲
【補正対象項目名】請求項１
【補正方法】変更
【補正の内容】
【請求項１】
アナログ入力電圧と比較電圧とを逐次比較して比較結果を生成する比較手段を備えた逐次比較型A/D変換器において、前記比較手段は、
前記アナログ入力電圧と前記比較電圧とが順次入力される第１のインバータと、
該第１のインバータの出力に一方の電極が接続され電荷を蓄電するキャパシタと、
該キャパシタの他方の電極に接続された第２のインバータと、
前記第１のインバータの入出力端に並列に接続された第１の帰還スイッチと、
前記第２のインバータの入出力端に並列に接続された第２の帰還スイッチとを含み、
前記第１の帰還スイッチは、前記第１のインバータの入出力端に互いに並列に接続した第１および第２のトランジスタを含み、前記第１のトランジスタは前記第２のトランジスタよりもドライブ能力が大きく形成され、
前記第２の帰還スイッチはさらに、前記第２のインバータの入出力端に互いに並列に接続した第３および第４のトランジスタを含み、前記第３のトランジスタは前記第４のトランジスタよりもドライブ能力が大きく形成され、
前記第１および第３のトランジスタのゲートは共に接続されて第１の制御信号が入力される第１の制御入力端子に接続され、
前記第２および第４のトランジスタのゲートは共に接続されて第２の制御信号が入力される第２の制御入力端子に接続され、
逐次比較動作を行う際に、前記第１および第３のトランジスタのオン/オフ切替タイミングと、ドライブ能力が小さいドライブ能力が大きい前記第２および第４のトランジスタのオン/オフ切替タイミングとを異ならせて、前記アナログ入力電圧と前記比較電圧との比較を行うことを特徴とする逐次比較型A/D変換器。
【手続補正２】
【補正対象書類名】特許請求の範囲
【補正対象項目名】請求項３
【補正方法】変更
【補正の内容】
【請求項３】
請求項１に記載の逐次比較型A/D変換器において、前記第１および第３のトランジスタのゲート幅とゲート長との比（W/L比）が、それぞれ前記第２および第４のトランジスタのゲート幅とゲート長との比（W/L比）よりも大きく形成されていることにより、前記ドライブ能力が異なることを特徴とする逐次比較型A/D変換器。
【手続補正３】
【補正対象書類名】特許請求の範囲
【補正対象項目名】請求項６
【補正方法】変更
【補正の内容】
【請求項６】
アナログ入力電圧と比較電圧とを逐次比較して比較結果を生成する比較手段を備えた逐次比較型A/D変換器において、前記比較手段は、
前記アナログ入力電圧と前記比較電圧とが順次入力される第１のインバータと、
該第１のインバータの出力に一方の電極が接続され電荷を蓄電するキャパシタと、
該キャパシタの他方の電極に接続された第２のインバータと、
前記第１のインバータの入出力端に並列に接続された第１の帰還スイッチと、
前記第２のインバータの入出力端に並列に接続された第２の帰還スイッチとを含み、
前記第１の帰還スイッチは、前記第１のインバータの入出力端に互いに並列に接続した第１および第２のトランジスタを含み、前記第１のトランジスタは前記第２のトランジスタよりもドライブ能力が大きく形成され、
前記第２の帰還スイッチはさらに、前記第２のインバータの入出力端に互いに並列に接続した第３および第４のトランジスタを含み、前記第３のトランジスタは前記第４のトランジスタよりもドライブ能力が大きく形成され、
前記第１のトランジスタのゲートは第１の制御信号が入力される第１の制御入力端子に接続され、
前記第３のトランジスタのゲートは第２の制御信号が入力される第２の制御入力端子に接続され、
前記第２および第４のトランジスタのゲートは共に接続されて第３の制御信号が入力される第３の制御入力端子に接続され、
逐次比較動作を行う際に、前記第１および第３のトランジスタのオン/オフ切替タイミングと、前記第２および第４のトランジスタのオン/オフ切替タイミングとを異ならせて、さらに、第１のトランジスタと第２のトランジスタとのオン/オフ切替タイミングを異ならせて、前記アナログ入力電圧と前記比較電圧との比較を行うことを特徴とする逐次比較型A/D変換器。
【手続補正４】
【補正対象書類名】特許請求の範囲
【補正対象項目名】請求項１１
【補正方法】変更
【補正の内容】
【請求項１１】
アナログ入力電圧と比較電圧とを逐次比較するコンパレータにおいて、
前記アナログ入力電圧と前記比較電圧とが順次入力される第１のインバータと、
該第１のインバータの出力に一方の電極が接続され電荷を蓄電するキャパシタと、
該キャパシタの他方の電極に接続された第２のインバータと、
前記第１のインバータの入出力端に並列に接続された第１の帰還スイッチと、
前記第２のインバータの入出力端に並列に接続された第２の帰還スイッチとを含み、
前記第１の帰還スイッチは、前記第１のインバータの入出力端に互いに並列に接続した第１および第２のトランジスタを含み、前記第１のトランジスタは前記第２のトランジスタよりもドライブ能力が大きく形成され、
前記第２の帰還スイッチはさらに、前記第２のインバータの入出力端に互いに並列に接続した第３および第４のトランジスタを含み、前記第３のトランジスタは前記第４のトランジスタよりもドライブ能力が大きく形成され、
前記第１および第３のトランジスタのゲートは共に接続されて第１の制御信号が入力される第１の制御入力端子に接続され、
前記第２および第４のトランジスタのゲートは共に接続されて第２の制御信号が入力される第２の制御入力端子に接続され、
逐次比較動作を行う際に、ドライブ能力が大きい前記第１および第３のトランジスタのオン/オフ切替タイミングと、ドライブ能力が小さい前記第２および第４のトランジスタのオン/オフ切替タイミングとを異ならせて、前記アナログ入力電圧と前記比較電圧との比較を行うことを特徴とするコンパレータ。
【手続補正５】
【補正対象書類名】特許請求の範囲
【補正対象項目名】請求項１２
【補正方法】変更
【補正の内容】
【請求項１２】
アナログ入力電圧と比較電圧とを逐次比較するコンパレータにおいて、
前記アナログ入力電圧と前記比較電圧とが順次入力される第１のインバータと、
該第１のインバータの出力に一方の電極が接続され電荷を蓄電するキャパシタと、
該キャパシタの他方の電極に接続された第２のインバータと、
前記第１のインバータの入出力端に並列に接続された第１の帰還スイッチと、
前記第２のインバータの入出力端に並列に接続された第２の帰還スイッチとを含み、
前記第１の帰還スイッチは、前記第１のインバータの入出力端に互いに並列に接続した第１および第２のトランジスタを含み、前記第１のトランジスタは前記第２のトランジスタよりもドライブ能力が大きく形成され、
前記第２の帰還スイッチはさらに、前記第２のインバータの入出力端に互いに並列に接続した第３および第４のトランジスタを含み、前記第３のトランジスタは前記第４のトランジスタよりもドライブ能力が大きく形成され、
前記第１のトランジスタのゲートは第１の制御信号が入力される第１の制御入力端子に接続され、
前記第３のトランジスタのゲートは第２の制御信号が入力される第２の制御入力端子に接続され、
前記第２および第４のトランジスタのゲートは共に接続されて第３の制御信号が入力される第３の制御入力端子に接続され、
逐次比較動作を行う際に、ドライブ能力が大きい前記第１および第３のトランジスタのオン/オフ切替タイミングと、ドライブ能力が小さい前記第２および第４のトランジスタのオン/オフ切替タイミングとを異ならせて、さらに、第１のトランジスタと第２のトランジスタとのオン/オフ切替タイミングを異ならせて、前記アナログ入力電圧と前記比較電圧との比較を行うことを特徴とするコンパレータ。
【手続補正６】
【補正対象書類名】明細書
【補正対象項目名】００４９
【補正方法】変更
【補正の内容】
【００４９】
以上の構成で本実施例における逐次比較型A/D変換器200に内蔵される比較電圧生成回路210およびコンパレータ600の動作を説明する。
【手続補正７】
【補正対象書類名】明細書
【補正対象項目名】００５２
【補正方法】変更
【補正の内容】
【００５２】
次に制御信号654によりPchTr 651,652をオフする。PchTr 651,652はそれぞれ並列に接続された他方のトランジスタよりもドライブ能力(W/Lが小さい)が小さいため、スイッチングノイズを最小限に抑えた状態でスイッチをオフすることができる。これにより、インバータ603,604はノード212に電位変化が生じた場合、出力(OUT) 222に"H"または"L"を出力する。このとき各インバータ603,604の閾値電圧の差(オフセット電圧差)はキャパシタ629にてキャンセルされる。